(57)【特許請求の範囲】
【請求項１】
装着者に摩耗を認識させるための識別部が、咬頭ごとに対応させて、前記咬頭から裂溝までの間の深さに埋没された歯科補綴物。
【請求項２】
装着者に摩耗を認識させるための識別部が、少なくとも頬側咬頭から裂溝を超えた舌側咬頭または口蓋側咬頭を含む範囲に、咬合面を含む範囲の凹凸に応じた凹凸状に形成され、埋没された歯科補綴物。
【請求項３】
前記識別部は、咬頭から側面を含む範囲に埋没されている請求項２記載の歯科補綴物。
【請求項４】
前記識別部は、歯牙の色とは異なる色を有する請求項１から３のいずれかの項に記載の歯科補綴物。
【請求項５】
前記識別部は、深さ方向に沿って複数色を有する請求項４記載の歯科補綴物。
【請求項６】
装着者に摩耗を認識させるための識別部が、歯牙の色とは異なる色であり、深さ方向に沿って複数色を有する歯科補綴物。
【請求項７】
前記識別部は、蛍光体が含有された請求項１から６のいずれかの項に記載の歯科補綴物。
【発明の詳細な説明】
【技術分野】
【０００１】
本発明は、総義歯や部分義歯などの有床義歯、ブリッジ、クラウン（差し歯）、インレー、インプラント、アライナー（矯正用アライナー、顎関節疾患治療用スプリント、スポーツでのマウスピースも含む）などの歯科補綴物に関するものである。
【背景技術】
【０００２】
歯科補綴物は、咬合面が対向する歯牙との噛み合わせが重要である。例えば、特許文献１に記載の人工歯は、人工歯の主体をなす人工歯本体部と、人工歯本体部の表面部に形成される咬合面部とを備え、咬合面部を人工歯本体部よりも軟らかくしたものである。これにより軟らかな咬合面部が咬耗してスムーズにパーソナル・オクルージョンが再現でき、パーソナル・オクルージョンが再現された後は硬い人工歯本体部により急激な咬耗を防止して長期間にわたって安定した快適な使用が可能となる。
【先行技術文献】
【特許文献】
【０００３】
【特許文献１】特開２００２−２８２２７９号公報
【発明の概要】
【発明が解決しようとする課題】
【０００４】
しかし、特許文献１に記載の人工歯では、人工歯本体部が咬合面部より硬いとはいえ、この人工歯と咬合する天然歯との咀嚼が繰り返されることにより、人工歯本体部が摩耗してしまうものと思われる。装着者は、咬頭が摩耗しても気が付きにくく、そのままの状態で使用を継続してしまうことがある。そうなると、装着者は、満足な咀嚼が得られない上、顎関節に異常を来す可能性もあり、健康上好ましくない。
【０００５】
そこで本発明は、装着者に摩耗を気づかせ、交換または修復を促すことで、装着者の健康維持を図ることができる歯科補綴物を提供することを目的とする。
【課題を解決するための手段】
【０００６】
本発明の歯科補綴物は、装着者に摩耗を認識させるための識別部を有することを特徴とする。
【０００７】
本発明の歯科補綴物によれば、装着者に摩耗を認識させるための識別部を有しているため、装着者自身で摩耗を認識することができる。従って、装着者は、歯科補綴物を交換や修復するために歯科医院へ通院を開始することができる。
【０００８】
前記識別部が、少なくとも咬頭の位置を含むように配置されているため、摩耗しやすい咬頭の状態を装着者自身で認識することができる。
【０００９】
前記識別部が、表面から埋没されており、摩耗により前記表面から露出するものとすることができる。表面の摩耗が進むと、埋没されていた識別部が表面に露出する。従って、装着者自身で識別部が露出したことを契機に、表面の摩耗を認識することができる。
【００１０】
また、前記識別部は、その先端面が表面から露出した状態で埋設されたものとすることができる。摩耗が進むと、表面から見えていた識別部が消滅する。このことを契機に、装着者自身で表面の摩耗を認識することができる。
【００１１】
前記識別部を、少なくとも頬側咬頭から裂溝を超えた舌側咬頭または口蓋側咬頭を含む範囲に埋没することができる。装着者は、頬側咬頭や舌側咬頭または口蓋側咬頭だけでなく裂溝からの摩耗も認識することができる。
【００１２】
前記識別部を、咬頭から裂溝までの間の深さに埋没することができる。装着者は、摩耗が裂溝に至る前に、摩耗を認識することができる。そのため、装着者は、早めの治療を受けることができる。
【００１３】
前記識別部を、咬頭から側面を含む範囲に埋没することができる。咬頭の摩耗だけでなく、側面からの摩耗に対しても識別部が露出するため認識することができる。
【００１４】
前記識別部を、歯牙の色とは異なる色を有するものとすることができる。表面に識別部が露出したときに、識別部を認識しやすく、少しの露出でも表面と識別することができるため、早期の発見を可能とすることができる。
【００１５】
前記識別部が、深さ方向に沿って複数色を有していると、装着者は、色によって摩耗の度合いを認識することができる。
【００１６】
前記識別部を、プレート状とすることができる。識別部を薄く形成することができるため、本発明の人工歯の強度への影響を抑えることができる。
【発明の効果】
【００１７】
本発明の歯科補綴物によれば、識別部の露出により、装着者は、人工歯の摩耗を認識し、交換や修復が促される。従って、装着者は、歯科補綴物を交換、修復のために歯科医院へ通院を開始することができるので、本発明の歯科補綴物は、装着者に咬合面の摩耗を気づかせ、交換や修復を促すことで、装着者の健康維持を図ることができる。
【図面の簡単な説明】
【００１８】
【図１】本発明の実施の形態１に係る人工歯を示す図であり、（Ａ）は人工歯の側面図、（Ｂ）は人工歯の咬合面から見た図、（Ｃ）は人工歯の使用状態を説明するための側面図である。
【図２】本発明の実施の形態２に係る人工歯を示す図であり、（Ａ）は人工歯の側面図、（Ｂ）は人工歯の咬合面から見た図、（Ｃ）は人工歯の使用状態を説明するための側面図である。
【図３】本発明の実施の形態３に係る人工歯を示す図であり、（Ａ）は人工歯の側面図、（Ｂ）は人工歯の咬合面から見た図である。
【図４】本発明の実施の形態４に係る人工歯を示す図であり、（Ａ）は人工歯の側面図、（Ｂ）は人工歯の咬合面から見た図である。
【図５】本発明の実施の形態５に係る人工歯を示す側面図である。
【図６】本発明の実施の形態６に係る人工歯を示す図であり、（Ａ）は人工歯の側面図、（Ｂ）は人工歯の咬合面から見た図である。
【図７】本発明の実施の形態７に係る人工歯を示す図であり、（Ａ）は人工歯の側面図、（Ｂ）は人工歯の咬合面から見た図である。
【発明を実施するための形態】
【００１９】
（実施の形態１）
本発明の実施の形態１に係る歯科補綴物の一例である人工歯を図面に基づいて説明する。
図１（Ａ）および同図（Ｂ）に示すように人工歯１０は、上顎の大臼歯として装着者に装着されるものである。人工歯１０は、歯本体２０と、歯本体２０に埋没された識別部３０とを備えている。
歯本体２０は、上顎の臼歯であるため、咬頭２１０として、頬側咬頭２１１（近心頬側咬頭２１１ａ、遠心頬側咬頭２１１ｂ）と、口蓋側咬頭２１２（近心口蓋側咬頭２１２ａ、遠心口蓋側咬頭２１２ｂ）と、その間の裂溝２１３とが形成されている。歯本体２０は、陶歯、レジン歯、硬質レジン歯などとすることができる。歯本体２０は歯牙（天然歯）の色により形成されている。
【００２０】
識別部３０は、咬頭２１０の深部に埋没されている。識別部３０は、平坦なプレート状に形成されている。本実施の形態１では、識別部３０は、歯本体２０の頬側咬頭２１１（近心頬側咬頭２１１ａ、遠心頬側咬頭２１１ｂ）から裂溝２１３を超えた口蓋側咬頭２１２（近心口蓋側咬頭２１２ａ、遠心口蓋側咬頭２１２ｂ）を含む範囲に埋没されている。従って、識別部３０は、裂溝２１３より深い位置に埋没されている。
【００２１】
なお、人工歯１０は、上顎の大臼歯であるが、下顎の大臼歯である場合には、識別部３０を、頬側咬頭から裂溝を超えた舌側咬頭を含む範囲に埋没させることができる。
【００２２】
識別部３０は、樹脂製のプレートにより形成されている。また、識別部３０は、金属製等のその他の材質のプレートとすることも可能である。識別部３０は、咬合平面Ｓ１に対して平行に、全体が歯本体２０から露出しないように埋没されている。識別部３０は、歯牙の色とは異なる色により形成されている。例えば、識別部３０は、歯本体２０から露出したときに目立つ色が好ましいため、赤色や青色、黄色などとすることができる。
【００２３】
以上のように構成された本発明の実施の形態１に係る人工歯１０は、成形用型にて成形されるときに、歯根側を成形した後に、識別部３０を成形用型内に配置し、そして歯冠側を成形することで製造することができる。
【００２４】
次に、人工歯１０の使用状態を図面に基づいて説明する。
装着者が食事をするときに、例えば、人工歯１０の口蓋側咬頭２１２が下顎の対合歯中央の裂溝に噛み合い、裂溝２１３に下顎の対合歯の頬側咬頭が噛み合うことで、食物が咀嚼される。この咀嚼によって、口蓋側咬頭２１２が、徐々に摩耗する。
そして、口蓋側咬頭２１２の摩耗が進み、表面の一例である口蓋側咬頭２１２が無くなると、図１（Ｃ）に示すように、識別部３０が歯本体２０から露出する。
【００２５】
装着者は、識別部３０が歯本体２０から露出することで、歯磨きの際や、女性であれば化粧をする際に鏡を見たときなどに気が付きやすい。従って、装着者自身で、識別部３０が露出したことを契機に、人工歯１０の表面の摩耗を認識することができる。これにより、装着者は、人工歯１０を交換するために歯科医院へ通院を開始することができるので、人工歯１０は、装着者に、咬合面、特に、咬頭２１０の摩耗を気づかせ、交換や修復を促すことで、装着者の健康の維持を図ることができる。
【００２６】
識別部３０が、頬側咬頭２１１から裂溝２１３を超えた口蓋側咬頭２１２を含む範囲に埋没されていることで、装着者は、咬頭（頬側咬頭２１１，口蓋側咬頭２１２）だけでなく裂溝２１３からの摩耗も認識することができる。
【００２７】
識別部３０が、歯牙の色とは異なる色を有しているため、少しの露出でも歯本体２０と識別することができるため、識別部３０の発見が早く、容易である。
また、識別部３０は、プレート状であるため、識別部３０を薄く形成することができるため、歯本体２０の強度への影響を抑えることができる。
【００２８】
（実施の形態２）
本発明の実施の形態２に係る人工歯を図面に基づいて説明する。なお、図２は、図１と同じ構成のものは同符号を付して説明を省略する。
図２（Ａ）および同図（Ｂ）に示すように、人工歯１１は、識別部３１が咬頭２１０ごとに対応させて埋没されている。識別部３１は、実施の形態１の識別部３０（図１参照）より小さい平坦なプレート状に形成されている。人工歯１１は上顎の臼歯であるため、識別部３１は、近心頬側咬頭２１１ａ、遠心頬側咬頭２１１ｂ、近心口蓋側咬頭２１２ａおよび遠心口蓋側咬頭２１２ｂの位置に対応して４個が配置されている。識別部３１は、咬合平面Ｓ１に対して平行に埋没されている。
【００２９】
図２（Ｃ）に示すように、従って、４つの咬頭２１０のいずれかが摩耗しても、識別部３１が歯本体２０から露出して、装着者が表面から確認することができるため、装着者は人工歯１０の表面の摩耗を認識することができる。なお、図２（Ｃ）においては、口蓋側咬頭２１２が摩耗した状態を示している。
また、識別部３１が、咬頭２１０から裂溝２１３までの間の深さに埋没しているため、装着者は、人工歯１１の摩耗が裂溝２１３に至る前に、摩耗を認識することができる。そのため、装着者は、早めの治療を受けることができる。
【００３０】
（実施の形態３）
本発明の実施の形態３に係る人工歯を図面に基づいて説明する。なお、図３においては、図１と同じ構成のものは同符号を付して説明を省略する。
図３（Ａ）および同図（Ｂ）に示すように、人工歯１２は、識別部３２が、咬頭２１０の深部に埋没されている。この識別部３２は、実施の形態１と同様に、平坦なプレート状に形成され、歯本体２０の頬側咬頭２１１（近心頬側咬頭２１１ａ、遠心頬側咬頭２１１ｂ）から裂溝２１３を超えた口蓋側咬頭２１２（近心口蓋側咬頭２１２ａ、遠心口蓋側咬頭２１２ｂ）を含む範囲に埋没されている。
【００３１】
識別部３２は、深さ方向Ｆ１に沿って複数色を有する。例えば、識別部３２は、咬頭２１０側が緑色に着色された第１識別部３２１、次に、黄色に着色された第２識別部３２２、最後が赤色に着色された第３識別部３２３とすることができる。
識別部３２が有する複数の色は、深さ方向Ｆ１に向かうに従って赤色方向（色の波長が長くなる方向）となることが望ましい。
【００３２】
このように構成された人工歯１２では、咬頭２１０が摩耗し、識別部３２が表面から露出すると、装着者には、まず第１識別部３２１による最初の緑色が見える。装着者は、第１識別部３２１が咬頭２１０から露出することにより咬頭２１０の摩耗が認識できる。この時点で、人工歯１２の交換または修復を行ってもよいが、まだ緑色であるため、装着者は緊急性が低いことを認識することができる。
【００３３】
咬頭２１０の摩耗が進むと、次に、第２識別部３２２による黄色が、摩耗した咬頭２１０から露出する。装着者は、第２識別部３２２が見えることで、交換または修復を急いだ方がよいことを認識することができる。
更に、咬頭２１０の摩耗が進むと、次に、第３識別部３２３による赤色が、摩耗した咬頭２１０から露出する。装着者は、第３識別部３２３が見えることで、直ぐにでも人工歯１２の交換または修復が必要であることを認識することができる。
装着者によっては、第３識別部３２３までの露出を待たずに、第１識別部３２１の露出を契機に、人工歯１２の交換または修復を予防的に行うこともできる。
【００３４】
このように、装着者は、識別部３２の複数の色により咬頭２１０の摩耗度合いを把握することができるので、予防的な交換または修復を行ったり、余裕を持って人工歯１２の交換または修復を行ったりすることができる。
【００３５】
（実施の形態４）
本発明の実施の形態４に係る人工歯を図面に基づいて説明する。なお、図４においては、図１と同じ構成のものは同符号を付して説明を省略する。
図４（Ａ）および同図（Ｂ）に示すように、人工歯１３は、識別部３３が、近心頬側咬頭２１１ａおよび遠心頬側咬頭２１１ｂと、近心口蓋側咬頭２１２ａおよび遠心口蓋側咬頭２１２ｂとの位置に対応させて埋没されている。
【００３６】
識別部３３は、実施の形態３と同様に、緑色の第１識別部３３１、黄色の第２識別部３３２および赤色の第３識別部３３３とを有している。識別部３３は、細長な棒状に形成され、識別部３３の長さ方向が人工歯１３の深さ方向Ｆ１に沿って配置されている。
【００３７】
このように識別部３３が形成されていることで、実施の形態３における人工歯１２での効果を得ることができると共に、識別部３３の第１識別部３３１を咬合面Ｓ２に接近させて配置させることができるため、摩耗を早期発見することができる。従って、装着者は、早めの治療を受けることができる。
【００３８】
（実施の形態５）
本発明の実施の形態５に係る人工歯を図面に基づいて説明する。なお、図５においては、図１と同じ構成のものは同符号を付して説明を省略する。
図５に示すように、人工歯１４は、実施の形態１と同様に、平坦なプレート状に形成され、歯本体２０に埋没された識別部３４を備えている。
【００３９】
識別部３４には、励起光により励起されて発光する蛍光体が含有されている。そのため、蛍光体は、励起されない可視光線下では歯本体２０と同じ色であるが、紫外線や励起される可視光線では蛍光体が発光する。そのため、歯本体２０が摩耗して識別部３４が露出した状態で、識別部３４に励起光を照射すると、装着者には、歯本体２０と異なる色として認識させることができる。
【００４０】
従って、装着者は、人工歯１４に、自宅にてブラックライトにより励起光を照射したり、歯科医院に通院して、レーザー発光装置やＬＥＤ照明装置により励起光を照射してもらったりすることで、咬頭２１０の摩耗を認識することができる。
励起光を照射しなければ、識別部３４は歯本体２０と同じ色であるため、識別部３４が露出していて、装着者が、その露出に気が付かない状態であっても、他人が先に識別部３４の露出に気が付くという事態を回避することができる。従って、装着者は、他人の目を気にすること無く人工歯１４を装着することができる。
【００４１】
（実施の形態６）
本発明の実施の形態６に係る人工歯を図面に基づいて説明する。なお、図６においては、図１と同じ構成のものは同符号を付して説明を省略する。
図６（Ａ）および同図（Ｂ）に示すように、人工歯１５は、人工歯の外形に沿った形状に形成されたプレート状の識別部３５を備えている。識別部３５は、歯本体２０の咬頭２１０および裂溝２１３を含む咬合面Ｓ２の範囲だけでなく、歯本体２０の側面２２０全体の範囲まで形成されている。そして、咬合面Ｓ２および側面２２０を含む範囲の凹凸に応じた凹凸状に形成されている。識別部３５は、咬合面Ｓ２および側面２２０のそれぞれに均等な深さに埋没されている。
【００４２】
図６（Ａ）に示す識別部３５では、咬合面Ｓ２から側面２２０の中間部までの範囲で形成されているが、歯根側まで全体に形成されていても、咬合面Ｓ２から側面２２０に掛かるまでの範囲に形成されていてもよい。
識別部３５は、実施の形態１と同様に単色としたり、実施の形態３と同様に複数色としたりすることができる。
【００４３】
このように識別部３５が形成されていることで、裂溝や辺縁隆線、咬頭だけでなく、歯本体２０の周囲面全体のいずれかが摩耗としても識別部３５が表面から露出する。従って、咬合面Ｓ２だけでなく、他の場所が摩耗したときでも、装着者は、歯本体２０の摩耗を認識することができる。
【００４４】
（実施の形態７）
本発明の実施の形態７に係る人工歯を図面に基づいて説明する。なお、図７においては、図４と同じ構成のものは同符号を付して説明を省略する。
図７（Ａ）および同図（Ｂ）に示すように、人工歯１６は、識別部３６が、近心頬側咬頭２１１ａおよび遠心頬側咬頭２１１ｂと、近心口蓋側咬頭２１２ａおよび遠心口蓋側咬頭２１２ｂとの位置に対応して、識別部３６の先端面３６ａが咬頭２１０から露出した状態で埋設されている。
識別部３６は、実施の形態４と同様に、緑色の第１識別部３６１、黄色の第２識別部３６２および赤色の第３識別部３６３を有している。
【００４５】
このように識別部３６が形成されていることで、識別部３６が消耗すれば、人工歯１６の交換または修復時期であることを、装着者に認識させることができる。
また、識別部３６が緑色の第１識別部３６１、黄色の第２識別部３６２および赤色の第３識別部３６３を有しており、深さ方向Ｆ１に沿って複数色を有しているため、装着者は、咬頭２１０の摩耗度合いを把握することができるので、予防的な交換または修復を行ったり、余裕を持って人工歯１６の交換または修復を行ったりすることができる。
【００４６】
以上、本発明の実施の形態１〜７に係る人工歯１０〜１６を説明したが、本発明は、上記実施の形態１〜７に限定されるものではない。
例えば、実施の形態２（図２参照）、実施の形態４（図４参照）では、識別部３１，３３が４つ埋没され、および実施の形態７（図７参照）では、識別部３６が４つ、先端面を露出した状態で埋設されていたが、いずれか一つでも、これらの組み合わせとしてもよい。
【００４７】
また、実施の形態１〜７では、上顎の大臼歯を例に説明したが、下顎の大臼歯を人工歯とするときにでも、本発明を適用することができる。その場合、識別部３１は、人工歯の近心舌側咬頭、遠心舌側咬頭、遠心咬頭、近心頬側咬頭および遠心頬側咬頭に対応させて埋設することができる。また、人工歯は、大臼歯以外に、小臼歯や中切歯、側切歯、犬歯とすることも可能である。その場合、識別部３０〜３６を、審美性を考慮した色合いや形態で、隠れた状態で埋没したり、露出した状態で埋設したりすることが望ましい。
【００４８】
また、実施の形態５では、図５に示すように、識別部３４が一枚のプレートにより形成されていたが、図２に示す識別部３１のように分割された形状としたり、図４に示す識別部３３や、図７に示す識別部３６のように棒状にして、発光色が異なる蛍光体を複数組み合わせてよい。
【００４９】
更に、識別部３０〜３２，３４，３５は、表面が凹凸の無いプレート状に形成されていたが、識別部の表面を凹凸面としてもよい。識別部の表面を凹凸面とすることで、識別部が歯本体から露出した際に、装着者は舌触りで露出を発見することができる。
【００５０】
また、本実施の形態１〜７では人工歯の咬頭の摩耗を認識しやすいように、識別部が咬頭の位置に対応して配置されているが、人工歯の側周面の摩耗を認識しやすいように、識別部を側周面に対応する位置に配置したり、裂溝の摩耗を認識しやすいように、識別部を裂溝に対応する位置に配置したり、摩耗が進む位置に識別部を配置することができる。
【００５１】
また、本実施の形態３，４，７の識別部３２，３３，３７では、第１識別部３２１，３３１，３６１から第３識別部３２３，３３３，３６１へ向かって３色が段階的に変化するように形成されていたが、２色や４色以上、または単色でもよい。また、識別部３２，３３，３７は、複数の色が連続的に無段階に変化するようにしてもよい。
【００５２】
また、本実施の形態１〜７では人工歯を例に説明したが、歯科補綴物であれば、総義歯や部分義歯などの有床義歯、ブリッジ、クラウン（差し歯）、インレー、インプラント、アライナー（矯正用アライナー、顎関節疾患治療用スプリント、スポーツでのマウスピースも含む）の咬頭に、識別部を隠れた状態で埋没したり、露出した状態で埋設したりすることで、本発明は実施できる。
【００５３】
本発明では、歯科補綴物が識別部を有しているため、装着者が表面の摩耗を認識できるだけでなく、歯科医師が歯科補綴物を切削したときに識別部が露出することより、歯科医師に切削のし過ぎであることも認識させることができる。
【産業上の利用可能性】
【００５４】
本発明の歯科補綴物は、歯科医院や歯科技工所にて用いることができる。
【符号の説明】
【００５５】
１０，１１，１２，１３，１４，１５，１６  人工歯
２０  歯本体
２１０  咬頭
２１１  頬側咬頭
２１１ａ  近心頬側咬頭
２１１ｂ  遠心頬側咬頭
２１２  口蓋側咬頭
２１２ａ  近心口蓋側咬頭
２１２ｂ  遠心口蓋側咬頭
２１３  裂溝
２２０  側面
３０，３１，３２，３３，３４，３５，３６  識別部
３６ａ  先端面
３２１，３３１，３６１  第１識別部
３２２，３３２，３６２  第２識別部
３２３，３３３，３６３  第３識別部
Ｓ１  咬合平面
Ｓ２  咬合面
【図１】
0006607570.tif 000002
【図２】
0006607570.tif 000003
【図３】
0006607570.tif 000004
【図４】
0006607570.tif 000005
【図５】
0006607570.tif 000006
【図６】
0006607570.tif 000007
【図７】
0006607570.tif 000008